(57)【要約】【課題】必要に応じて、写映システムにおけるレンズの焦点距離を調整し、映像の大きさを改変することができ、また、明瞭度の高い映像を形成し、映像の品質を向上させることができる映像写映システムに用いる光学調整装置を提供する。【解決手段】  本発明の光学調整装置は、少なくとも１つのレンズを含むレンズ・セットにより映像を形成する映像写映システムに用いる光学調整装置であって、調整信号を生成する制御装置と、制御装置及びレンズ・セットと接続され、調整信号に基づきレンズの位置を調整し、レンズ・セットの焦点距離及び焦点位置を改変する移動装置とを有する。【選択図】図４
2006030934.tif 000002
【特許請求の範囲】
【請求項１】
少なくとも１つのレンズを含むレンズ・セットにより映像を形成する映像写映システムに用いる光学調整装置であって、
調整信号を生成する制御装置と、
前記制御装置及び前記レンズ・セットと接続され、前記調整信号に基づき前記レンズの位置を調整し前記レンズ・セットの焦点距離を改変し、前記レンズ・セットにより投影された映像のサイズを拡大又は縮小する移動装置と、
を有する
光学調整装置。
【請求項２】
前記移動装置は、前記レンズと接続され、前記調整信号に基づき前記レンズを移動させ前記レンズの位置を調整するモーターを含む
請求項１に記載の光学調整装置。
【請求項３】
前記レンズ・セットは、ギアとカムを含み、
前記レンズは、前記カムに接触し、
前記ギアは、前記モーターと前記カムと接続され、
前記ギアは、前記モーターにより回転され、前記カムを移動させ、前記レンズ・セットの焦点距離を調整する
請求項２に記載の光学調整装置。
【請求項４】
前記モーターは、ステップ・モーターを含む
請求項３に記載の光学調整装置。
【請求項５】
前記制御装置と接続され、無線信号を受信しトリガー信号を生成する無線受信装置をさらに有し、
前記制御装置は、前記トリガー信号に基づいて、前記調整信号を生成する
請求項１に記載の光学調整装置。
【請求項６】
前記レンズ・セットは、他のレンズをさらに含み、
前記移動装置は、前記調整信号に基づき前記他のレンズを移動させ前記レンズ・セットの焦点位置を改変する
請求項１に記載の光学調整装置。
【請求項７】
前記映像写映システムは、背面投影型テレビである
請求項１に記載の光学調整装置。
【請求項８】
前記映像写映システムは、プロジェクターである
請求項１に記載の光学調整装置。
【請求項９】
少なくとも１つのレンズを含むレンズ・セットにより映像を形成する映像写映システムに用いる光学調整装置であって、
調整信号を生成する制御装置と、
前記制御装置及び前記レンズ・セットと接続され、前記調整信号に基づき前記レンズの位置を調整し前記レンズ・セットの焦点を改変し、前記レンズ・セットにより投影された映像の明瞭度を向上させる移動装置と、
を有する
光学調整装置。
【請求項１０】
前記移動装置は、前記レンズと接続され、前記調整信号に基づき前記レンズを移動し前記レンズの位置を調整するモーターを含む
請求項９に記載の光学調整装置。
【請求項１１】
前記レンズ・セットは、ギアとカムを含み、
前記レンズは、前記カムに接触し、
前記ギアは、前記モーターと前記カムと接続され、前記モーターにより回転され、前記カムを移動させ、前記レンズ・セットの焦点を調整する
請求項１０に記載の光学調整装置。
【請求項１２】
前記モーターは、ステップ・モーターを含む
請求項１１に記載の光学調整装置。
【請求項１３】
前記制御装置と接続され、無線信号を受信しトリガー信号を生成する無線受信装置をさらに含み、
前記制御装置は、前記トリガー信号に基づいて、前記調整信号を生成する
請求項９に記載の光学調整装置。
【請求項１４】
前記映像写映システムは、背面投影型テレビである
請求項９に記載の光学調整装置。
【請求項１５】
前記映像写映システムは、プロジェクターである
請求項９に記載の光学調整装置。
【発明の詳細な説明】
【技術分野】
【０００１】
本発明は調整装置に関し、特に、映像写映システムに用いる光学調整装置に関する。
【背景技術】
【０００２】
現行の背面投影型テレビにおいて、固定焦点距離のレンズが採用されているので、焦点距離が変えられず、表示された映像の大きさを調整することができない。即ち、現行の背面投影型テレビは映像拡大・縮小の機能を持っていない。
【０００３】
図１は、従来の背面投影型テレビ１０により投影された映像の概略図である。
【０００４】
背面投影型テレビ１０により投影された映像１４の縁部はノイズに影響されやすいので、図１に示すように、通常、映像１４はスクリーン１２の大きさ以上に拡大され、スクリーン１２の範囲内に安定な画像が確保される。一般的な背面投影型テレビの場合は、通常、映像１４は２％から７％程度拡大され、映像１４の縁部に対するノイズの影響を取り除く。
【０００５】
図１に示す斜線部分は、背面投影型テレビ１０により出力された映像１４のスクリーン１２により遮蔽された不安定なノイズ部分である。スクリーン１２は映像１４の不安定な縁部を遮蔽することにより、映像１４の不安定な縁部がなくなり、ユーザは安定な映像を鑑賞することができる。
【０００６】
しかしながら、映像１４を拡大し映像１４の不安定な縁部を消去することによって、スクリーン１２で表示された映像１４の表示領域が減少し、映像全体の輝度が損失する。その結果、映像１４の鮮明さが悪化し、映像の品質が劣る。
【０００７】
図２Ａ及び図２Ｂは、映像全体の輝度の損失を説明する図である。
【０００８】
図２Ａは、背面投影型テレビのレンズ２０により形成された像とスクリーン２２の関係を示す。図２Ｂは、拡大された像とスクリーン２２の関係を示す。図２Ｂに示すように、レンズ２０に形成された像が拡大されると、映像の範囲はスクリーン２２の大きさを超え、映像は、スクリーン２２により遮蔽され外部へ出射できない。これにより、回折光線が生じ、映像の輝度が損失し、映像の鮮明さが悪化する。
【０００９】
本発明の主要な目的は、上記の問題を解決する光学調整装置を提供することにある。
【発明の開示】
【発明が解決しようとする課題】
【００１０】
本発明の目的は、映像写映システムに用いる光学調整装置を提供するにある。当該光学調整装置により、ユーザは、必要に応じて、当該写映システムにおけるレンズの焦点距離を調整し、映像の大きさを改変することができ、また、明瞭度の高い映像を形成し、映像の品質を向上させることができる。
【課題を解決するための手段】
【００１１】
以上の目的を達成するために、本発明の光学調整装置は、少なくとも１つのレンズを含むレンズ・セットにより映像を形成する映像写映システムに用いる光学調整装置であって、調整信号を生成する制御装置と、前記制御装置及び前記レンズ・セットと接続され、前記調整信号に基づき前記レンズの位置を調整し前記レンズ・セットの焦点距離を改変し、前記レンズ・セットにより投影された映像のサイズを拡大又は縮小する移動装置とを有する。
【発明の効果】
【００１２】
本発明の光学調整装置によれば、移動装置によりレンズ・セットの焦点距離及び焦点位置が調整されるので、ユーザは必要に応じて自由に画面の大きさを調整することができ、その結果、映像の表示領域が増加し、映像輝度の損失が抑えられ、映像の鮮明度が改善される。
【発明を実施するための最良の形態】
【００１３】
次に、添付した図面を参照しながら、本発明の光学調整装置の実施形態を説明する。
【００１４】
図３は、本発明の実施形態に係る光学調整装置の構成例を示すブロック図である。
【００１５】
図３は映像写映システムにおけるレンズ・セット３２の焦点距離を調整する光学調整装置３０を示している。
【００１６】
レンズ・セット３２は、レンズ３４及びレンズ３６を含む（図５）。光学調整装置３０は、制御装置３８及び移動装置４０を備えている。
【００１７】
制御装置３８は、調整信号を生成する。移動装置４０は、制御装置３８及びレンズ・セット３２と接続され、調整信号に基づきレンズ３４及びレンズ３６の位置を調整し、レンズ・セット３２の焦点距離を調整する。
【００１８】
図４は、本発明の実施形態に係る光学調整装置３０の正面図である。
【００１９】
図５は、レンズ・セット３２の構造を示す図である。
【００２０】
図４及び図５に示すように、レンズ・セット３２は、ギア４２とカム４４を備えており、レンズ３４は、カム４４に接触している。移動装置４０はモーター４６を備えており、モーター４６はレンズ３４と接続されている。ギア４２はモーター４６とカム４４と接続されている。
【００２１】
モーター４６は、調整信号に応じて回転し、ギア４２を駆動し回転させ、カム４４を移動させる。よって、カム４４に接触しているレンズ３４が移動され、レンズ３４の位置が変更される。これにより、レンズ・セット３２の焦点距離が調整され、レンズ・セット３２により投影された映像のサイズは拡大又は縮小される。
【００２２】
また、移動装置４０は、レンズ３６と接続されているモーター４８を備えている。レンズ・セット３２は、ギア５０とカム５２を有し、レンズ３６はカム５２に接触している。ギア５０はモーター４８とカム５２と接続されている。
【００２３】
モーター４８は、調整信号に応じて回転しギア５０を駆動して回転させ、カム５２を移動させる。よって、カム５２に接触しているレンズ３６が移動され、レンズ３６の位置が変更される。これにより、レンズ・セット３２の焦点位置が調整され、レンズ・セット３２により投影された映像の明瞭度は向上される。
【００２４】
光学調整装置３０において、移動装置４０は、モーター４６或いはモーター４８単独でレンズ３４、或いは、レンズ３６を移動させることができ、または、モーター４６とモーター４８を同時に移動させ、レンズ３４とレンズ３６を同時に移動させ、レンズ３４と３６の位置を変更し、レンズ・セット３２の焦点距離及び位置を調整することもできる。
【００２５】
一例として、モーター４６とモーター４８はステップ・モーターである。ステップ・モーターは、安定性がよく、位置精度が高いので、モーター４６とモーター４８としてステップ・モーターを用いる場合は、モーター４６とモーター４８の精確な回転により、レンズ３４とレンズ３６を精確に移動させ、レンズ・セット３２の焦点距離及び位置を精確に調整することができる。
【００２６】
図６は、本発明の実施形態に係る光学調整装置の他の構成例を示すブロック図である。
【００２７】
図６に示す光学調整装置６０は無線受信装置６２を備えている。無線受信装置６２は、制御装置６４と接続され、無線信号を受信し、トリガー信号を生成する。制御装置６４は、該トリガー信号に応じて調整信号を生成する。移動装置６６は、該調整信号を受信し、それに応じてレンズ・セット６８の焦点距離を調整する。
【００２８】
例えば、無線受信装置６２は、通常に使われているリモート・コントローラの受信機である。ユーザは、リモート・コントローラにより無線信号を生成した場合、無線受信装置６２はこの無線信号を受信し、トリガー信号を生成し、制御装置６４に出力する。制御装置６４は、該トリガー信号に基づいて調整信号を生成する。移動装置６６は、該調整信号を受信し、それに応じてモーターを駆動し、レンズの位置を変更し、レンズ・セットの焦点距離及び位置を調整する。
【００２９】
例えば、本実施形態の映像写映システムは背面投影型テレビ又はプロジェクターである。この場合は、ユーザは、レンズ・セットの焦点距離を制御することにより、画面の大きさを必要に応じて自由に調整することができる。
【００３０】
本発明の光学調整装置は、従来の背面投影型テレビにおける調整装置と異なり、制御装置によりモーターの回転を制御し、モーターに接続されているギアにより、カムを移動させ、カムに接触しているレンズの位置を変更し、レンズ・セットの焦点距離を調整する。これにより、ユーザは、必要に応じてレンズ・セットの焦点距離と位置を自由に制御し、画面の大きさを調整することができる。レンズ・セットのこのような拡大・縮小の機能を利用して、映像のサイズを縮小し、映像の表示領域を増やし、映像輝度の損失を抑える。縮小した映像は、第２組のレンズの調整により、明瞭度が改善される。よって、本発明の映像写映システムは、良好な映像領域に、輝度及び明瞭度の高い映像を形成することができる。
【００３１】
以上、本発明の好ましい実施形態を説明したが、本発明はこれらの実施形態に限定されず、本発明の趣旨を離脱しない限り、本発明に対するあらゆる変更は本発明の範囲に属する。
【図面の簡単な説明】
【００３２】
【図１】従来の背面投影型テレビにより投影された映像の概略図である。
【図２】映像全体の輝度の損失を説明する図である。
【図３】本発明の実施形態に係る光学調整装置の構成例を示すブロック図である。
【図４】本発明の実施形態に係る光学調整装置の正面図である。
【図５】本発明の実施形態に係るレンズ・セットの構造を示す図である。
【図６】本発明の実施形態に係る光学調整装置の他の構成例を示すブロック図である。
【符号の説明】
【００３３】
３０、６０        光学調整装置
３２、６８        レンズ・セット
３４、３６        レンズ
３８、６４        制御装置
４０、６６        移動装置
４２、５０        ギア
４４、５２        カム
４６、４８        モーター
６２              無線受信装置
【図１】
2006030934.tif 000003
【図２】
2006030934.tif 000004
【図３】
2006030934.tif 000005
【図４】
2006030934.tif 000006
【図５】
2006030934.tif 000007
【図６】
2006030934.tif 000008